(57)【特許請求の範囲】
【請求項１】
プログラム実行手段と、
プログラムが記憶される第１プログラム記憶手段と、
前記第１プログラム記憶手段に記憶されるプログラムの版数と同一又は異なる版数のプログラムが記憶される第２プログラム記憶手段と、
切換期間が記憶される切換期間記憶手段と、
前記第１及び第２プログラム記憶手段の中で運用系としてのプログラムを記憶する記憶手段を特定するＩＰＬ機番を記憶する現ＩＰＬ機番記憶手段と、
前記第１及び第２プログラム記憶手段の中で運用系としてのプログラム又は次運用系としてのプログラムを記憶する記憶手段を特定するＩＰＬ機番を記憶する次ＩＰＬ機番記憶手段と、
現在の日時を検出する時計手段と、
前記時計手段による日時が前記切換期間記憶手段の前記切換期間中でない場合又は前記現ＩＰＬ機番記憶手段に記憶されたＩＰＬ機番と前記次ＩＰＬ機番記憶手段に記憶されたＩＰＬ機番が同一である場合には前記現ＩＰＬ機番記憶手段に記憶されたＩＰＬ機番により特定される前記第１及び第２プログラム記憶手段の何れかに記憶されたプログラムを前記プログラム実行手段が実行するプログラムとし、前記時計手段による日時が前記切換期間記憶手段の前記切換期間中であり且つ前記現ＩＰＬ機番記憶手段に記憶されたＩＰＬ機番と前記次ＩＰＬ機番記憶手段に記憶されたＩＰＬ機番が同一でない場合には前記次ＩＰＬ機番記憶手段に記憶されたＩＰＬ機番により特定される前記第１及び第２プログラム記憶手段の何れかに記憶されたプログラムを前記プログラム実行手段が実行するプログラムとする切換処理を行う切換手段と、
前記次ＩＰＬ機番記憶手段に記憶されたＩＰＬ機番により特定される前記第１及び第２プログラム記憶手段のいずれかに記憶されたプログラムについてのエラーの存在を検出するエラー検出手段とを備え、
前記切換手段は、前記次ＩＰＬ機番記憶手段に記憶されたＩＰＬ機番により特定される前記第１及び第２プログラム記憶手段のプログラムを前記プログラム実行手段が実行するプログラムとした後に、前記エラー検出手段によりエラーの存在が検出された場合には、前記現ＩＰＬ機番記憶手段に記憶されたＩＰＬ機番により特定される前記第１及び第２プログラム記憶手段の何れかに記憶されたプログラムを前記プログラム実行手段が実行するプログラムとするとともに前記次ＩＰＬ機番記憶手段に記憶されたＩＰＬ機番により特定される前記第１及び第２プログラム記憶手段の何れかに記憶されたプログラムを廃棄し、前記現ＩＰＬ機番記憶手段に記憶されたＩＰＬ機番により特定される前記第１及び第２プログラム記憶手段の何れかに記憶されたプログラムを前記次ＩＰＬ機番記憶手段に記憶されたＩＰＬ機番により特定される前記第１及び第２プログラム記憶手段のいずれかに複写するようにした電子計算機システム。
【請求項２】
現在の日時を検出する時計手段として機能させるための時計プログラムと、
前記時計手段による日時が切換期間記憶手段に記憶された切換期間が示す切換期間中でない場合、又はプログラムが記憶された第１プログラム記憶手段及び前記第１プログラム記憶手段に記憶されるプログラムの版数と同一又は異なる版数のプログラムが記憶される第２プログラム記憶手段の中で運用系としてのプログラムを記憶する記憶手段を特定するＩＰＬ機番を記憶する現ＩＰＬ機番記憶手段に記憶されたＩＰＬ機番と前記第１及び第２プログラム記憶手段の中で運用系としてのプログラム又は次運用系としてのプログラムを記憶する記憶手段を特定するＩＰＬ機番を記憶する次ＩＰＬ機番記憶手段に記憶されたＩＰＬ機番が同一である場合には前記現ＩＰＬ機番記憶手段に記憶されたＩＰＬ機番により特定される前記第１及び第２プログラム記憶手段の何れかに記憶されたプログラムを実行するプログラムとし、前記時計手段による日時が前記切換期間中であり且つ前記現ＩＰＬ機番記憶手段に記憶されたＩＰＬ機番と前記次ＩＰＬ機番記憶手段に記憶されたＩＰＬ機番が同一でない場合には前記次ＩＰＬ機番記憶手段に記憶されたＩＰＬ機番により特定される前記第１及び第２プログラム記憶手段の何れかに記憶されたプログラムを実行するプログラムとする切換処理を行う切換手段として機能させるための切換プログラムと、
前記次ＩＰＬ機番記憶手段に記憶されたＩＰＬ機番により特定される前記第１及び第２プログラム記憶手段のいずれかに記憶されたプログラムについてのエラーの存在を検出するエラー検出手段として機能させるためのエラー検出プログラムとを記憶し、
前記切換プログラムは、前記次ＩＰＬ機番記憶手段に記憶されたＩＰＬ機番により特定される前記第１及び第２プログラム記憶手段の何れかに記憶されたプログラムを前記プログラム実行手段が実行するプログラムとした後に、前記エラー検出手段によりエラーの存在が検出された場合には、前記現ＩＰＬ機番記憶手段に記憶されたＩＰＬ機番により特定される前記第１及び第２プログラム記憶手段の何れかに記憶されたプログラムを前記プログラム実行手段が実行するプログラムとするとともに前記次ＩＰＬ機番記憶手段に記憶されたＩＰＬ機番により特定される前記第１及び第２プログラム記憶手段のいずれかに記憶されたプログラムを廃棄し、前記現ＩＰＬ機番記憶手段に記憶されたＩＰＬ機番により特定される前記第１及び第２プログラム記憶手段の何れかに記憶されたプログラムを前記次ＩＰＬ機番記憶手段に記憶されたＩＰＬ機番により特定される前記第１及び第２プログラム記憶手段のいずれかに複写する手段として機能させるためのプログラムを含むコンピュータ読み取り可能な記憶媒体。
【発明の詳細な説明】
【０００１】
【発明の属する技術分野】
本発明は、電子計算機システムのプログラム等のソフトウエア（ファームウエアを含む）を保守するための技術に関する。
【０００２】
近年、電子計算機システムの普及が著しく、これに使用されるソフトウエアは非常に複雑且つ大規模になってきている。このような状況の中で、ソフトウエアの障害が発生することも多く、ソフトウエアの改版等の保守に要する作業工数や費用も増えてきており、その高効率化が要望されている。
【０００３】
【従来の技術】
電子計算機システムにおいては、電子計算機システムが備える外部記憶装置（例えば、磁気ディスク装置）にインストールされたプログラムのバグの修正や機能の追加等に伴い、改版（バージョンアップ）作業が必要となる。この改版作業は、プログラム全体を一括的に従前のプログラムと置き換えることにより行われる場合がある。
【０００４】
しかし、プログラムの規模は前述の通り日々増大しているので、改版作業の効率化のため、インストールされたプログラムに必要な修正を加える修正プログラム（修正データ）を該電子計算機システム上で実行することにより行われる場合がある。
【０００５】
改版前のプログラムから該修正プログラムにより修正された改版後のプログラムへの切り換えは、電子計算機システムの運用状況に応じてその運用に支障がない時間帯に保守作業員が手作業により行っている。
【０００６】
改版前のプログラムは、改版後のプログラムの検証（信頼性の確認作業）が必ずしも万全とはいえないため、電子計算機システムが備える外部記憶装置にそのまま残存させておき、改版後のプログラムに障害が発生した場合には、速やかに改版前のプログラムに切り換えることができるようにしておき、電子計算機システムの運転の継続を確保している。障害発生時における改版後のプログラムから改版前のプログラムへの変更作業も、保守作業員により手作業により行われている。
【０００７】
改版前のプログラムは、改版後のプログラムによる運転が一定期間以上、支障なくなされ、あるいは改版後のプログラムの検証作業が十分に行われた後に、保守作業員により削除される。
【０００８】
【発明が解決しようとする課題】
このように、プログラムの改版、改版後のプログラムへの切り換え、障害発生時の改版前のプログラムへの変更等は、保守作業員が現地（保守対象の電子計算機システムの設置されている場所）に出向いて手作業により行われているのが現状である。
【０００９】
従って、これらのプログラムの改版、改版後のプログラムへの切り換え、障害発生時の改版前のプログラムへの変更に要する作業時間は非常に長時間であるとともに、保守作業員の負担が大きく、非常に非効率的であった。
【００１０】
よって、本発明の目的は、電子計算機システムのプログラムの改版に伴う処理又は作業の高効率化を図ることである。
【００１１】
【課題を解決するための手段】
本発明の一つの側面によると、プログラム実行手段と、プログラムが記憶される第１プログラム記憶手段と、前記第１プログラム記憶手段に記憶されるプログラムの版数と同一又は異なる版数のプログラムが記憶される第２プログラム記憶手段と、切換期間が記憶される切換期間記憶手段と、前記第１及び第２プログラム記憶手段の中で運用系としてのプログラムを記憶する記憶手段を特定するＩＰＬ機番を記憶する現ＩＰＬ機番記憶手段と、前記第１及び第２プログラム記憶手段の中で運用系としてのプログラム又は次運用系としてのプログラムを記憶する記憶手段を特定するＩＰＬ機番を記憶する次ＩＰＬ機番記憶手段と、現在の日時を検出する時計手段と、前記時計手段による日時が前記切換期間記憶手段の前記切換期間中でない場合又は前記現ＩＰＬ機番記憶手段に記憶されたＩＰＬ機番と前記次ＩＰＬ機番記憶手段に記憶されたＩＰＬ機番が同一である場合には前記現ＩＰＬ機番記憶手段に記憶されたＩＰＬ機番により特定される前記第１及び第２プログラム記憶手段の何れかに記憶されたプログラムを前記プログラム実行手段が実行するプログラムとし、前記時計手段による日時が前記切換期間記憶手段の前記切換期間中であり且つ前記現ＩＰＬ機番記憶手段に記憶されたＩＰＬ機番と前記次ＩＰＬ機番記憶手段に記憶されたＩＰＬ機番が同一でない場合には前記次ＩＰＬ機番記憶手段に記憶されたＩＰＬ機番により特定される前記第１及び第２プログラム記憶手段の何れかに記憶されたプログラムを前記プログラム実行手段が実行するプログラムとする切換処理を行う切換手段と、前記次ＩＰＬ機番記憶手段に記憶されたＩＰＬ機番により特定される前記第１及び第２プログラム記憶手段のいずれかに記憶されたプログラムについてのエラーの存在を検出するエラー検出手段とを備え、前記切換手段は、前記次ＩＰＬ機番記憶手段に記憶されたＩＰＬ機番により特定される前記第１及び第２プログラム記憶手段のプログラムを前記プログラム実行手段が実行するプログラムとした後に、前記エラー検出手段によりエラーの存在が検出された場合には、前記現ＩＰＬ機番記憶手段に記憶されたＩＰＬ機番により特定される前記第１及び第２プログラム記憶手段の何れかに記憶されたプログラムを前記プログラム実行手段が実行するプログラムとするとともに前記次ＩＰＬ機番記憶手段に記憶されたＩＰＬ機番により特定される前記第１及び第２プログラム記憶手段の何れかに記憶されたプログラムを廃棄し、前記現ＩＰＬ機番記憶手段に記憶されたＩＰＬ機番により特定される前記第１及び第２プログラム記憶手段の何れかに記憶されたプログラムを前記次ＩＰＬ機番記憶手段に記憶されたＩＰＬ機番により特定される前記第１及び第２プログラム記憶手段のいずれかに複写するようにした電子計算機システムが提供される。
【００１２】
本発明が適用された電子計算機システムによると、切換期間記憶手段に記憶された切換期間内か否に応じて、切換手段により第１プログラム記憶手段又は第２プログラム記憶手段のプログラムを選択的にプログラム実行手段に実行させるようにしたから、保守作業員がプログラムの改版作業を行った後、切換作業を行う必要が無くなり、作業負担を軽減でき、プログラムの改版に伴う作業の高効率化を図ることができる。
【００１７】
本発明のさらに他の側面によると、現在の日時を検出する時計手段として機能させるための時計プログラムと、前記時計手段による日時が切換期間記憶手段に記憶された切換期間が示す切換期間中でない場合、又はプログラムが記憶された第１プログラム記憶手段及び前記第１プログラム記憶手段に記憶されるプログラムの版数と同一又は異なる版数のプログラムが記憶される第２プログラム記憶手段の中で運用系としてのプログラムを記憶する記憶手段を特定するＩＰＬ機番を記憶する現ＩＰＬ機番記憶手段に記憶されたＩＰＬ機番と前記第１及び第２プログラム記憶手段の中で運用系としてのプログラム又は次運用系としてのプログラムを記憶する記憶手段を特定するＩＰＬ機番を記憶する次ＩＰＬ機番記憶手段に記憶されたＩＰＬ機番が同一である場合には前記現ＩＰＬ機番記憶手段に記憶されたＩＰＬ機番により特定される前記第１及び第２プログラム記憶手段の何れかに記憶されたプログラムを実行するプログラムとし、前記時計手段による日時が前記切換期間中であり且つ前記現ＩＰＬ機番記憶手段に記憶されたＩＰＬ機番と前記次ＩＰＬ機番記憶手段に記憶されたＩＰＬ機番が同一でない場合には前記次ＩＰＬ機番記憶手段に記憶されたＩＰＬ機番により特定される前記第１及び第２プログラム記憶手段の何れかに記憶されたプログラムを実行するプログラムとする切換処理を行う切換手段として機能させるための切換プログラムと、前記次ＩＰＬ機番記憶手段に記憶されたＩＰＬ機番により特定される前記第１及び第２プログラム記憶手段のいずれかに記憶されたプログラムについてのエラーの存在を検出するエラー検出手段として機能させるためのエラー検出プログラムとを記憶し、前記切換プログラムは、前記次ＩＰＬ機番記憶手段に記憶されたＩＰＬ機番により特定される前記第１及び第２プログラム記憶手段の何れかに記憶されたプログラムを前記プログラム実行手段が実行するプログラムとした後に、前記エラー検出手段によりエラーの存在が検出された場合には、前記現ＩＰＬ機番記憶手段に記憶されたＩＰＬ機番により特定される前記第１及び第２プログラム記憶手段の何れかに記憶されたプログラムを前記プログラム実行手段が実行するプログラムとするとともに前記次ＩＰＬ機番記憶手段に記憶されたＩＰＬ機番により特定される前記第１及び第２プログラム記憶手段のいずれかに記憶されたプログラムを廃棄し、前記現ＩＰＬ機番記憶手段に記憶されたＩＰＬ機番により特定される前記第１及び第２プログラム記憶手段の何れかに記憶されたプログラムを前記次ＩＰＬ機番記憶手段に記憶されたＩＰＬ機番により特定される前記第１及び第２プログラム記憶手段のいずれかに複写する手段として機能させるためのプログラムを含むコンピュータ読み取り可能な記憶媒体が提供される。
【００１８】
本発明の記憶媒体に記憶された電子計算機システム用の保守プログラムを電子計算機システムにおいて実行すると、切換期間記憶手段に記憶された切換期間内か否かに応じて、切換プログラムにより第１プログラム記憶手段又は第２プログラム記憶手段のプログラムを選択的に実行プログラムに実行させるようにしたから、保守作業員がプログラムの改版作業を行った後、切換作業を行う必要が無くなり、作業負担を軽減でき、プログラムの改版に伴う作業の高効率化を図ることができる。
【００１９】
本発明のさらに他の側面によると、複数の一般ユーザ端末と、前記一般ユーザ端末に通信回線を介して接続された該一般ユーザ端末を遠隔保守する保守センタとを備えた遠隔保守システム（電子計算機システム）に適用される遠隔保守プログラムであって、前記一般ユーザ端末が実行するプログラムの改版内容を示す修正データが記憶された修正データ記憶手段、及び前記修正データ記憶手段の修正データを前記一般ユーザ端末に転送する転送手段とを有する保守センタ用プログラムと、運用系及び待機系としての同一内容の二以上のプログラムが記憶されるプログラム記憶手段、及び前記保守センタから転送された前記修正データに従って待機系としてのプログラムを改版する適用処理を行う適用手段とを有する一般ユーザ端末用プログラムと、を備えた遠隔保守プログラムを記憶した記憶媒体が提供される。
【００２０】
本発明の記憶媒体に記憶された遠隔保守プログラムを遠隔保守システム（電子計算機システム）において実行すると、保守センタから修正データを一般ユーザ端末に転送し、これを受けた一般ユーザ端末の適用手段が待機系としてのプログラムを該修正データに従って自動的に改版するようにしたから、保守作業員が現地に赴いてプログラムの改版作業を行う必要が無くなり、保守作業員の作業負担を軽減でき、プログラムの改版に伴う作業の高効率化を図ることができる。
【００２１】
【発明の実施の形態】
以下、本発明の実施の形態を図面に基づいて説明することにする。
［第１の実施の形態］
図１は本発明の第１の実施の形態の電子計算機システムの概略構成を示すブロック図である。
【００２２】
この電子計算機システムは、プログラム実行手段としての中央演算装置（ＣＰＵ）１１、主記憶装置（ＭＥＭ）１２、ブートロム（ＲＯＭ）１３、及び外部記憶装置（プログラム記憶手段）１４を備えている。ブートロム１３には切換手段の機能を実現するためのプログラムを含むプログラムが記憶されている。
【００２３】
この電子計算機システムは、さらに、切換期間（切換開始日時、切換終了日時）が記憶される切換期間記憶部（切換期間記憶手段）１５、現在の日時を検出する時計回路（時計手段）１６、現ＩＰＬ機番記憶部１７、及び次ＩＰＬ機番記憶部１８を備えている。
【００２４】
外部記憶装置１４は、中央演算装置１１により実行される同一又は異なる版数の二つのプログラム（データを含む）が記憶される第１プログラム領域１４ａ及び第２プログラム領域１４ｂを有している。
【００２５】
中央演算装置１１は、これらの第１プログラム領域１４ａ及び第２プログラム領域１４ｂの一方を運用系とし、他方を予備系として、運用系に障害が発生した場合には予備系に切り換えて実行する。
【００２６】
第１プログラム領域１４ａ及び第２プログラム領域１４ｂを識別するため、第１プログラム領域１４ａにはＩＰＬ機番０が、第２プログラム領域１４ｂにはＩＰＬ機番１が付与されている。
【００２７】
現ＩＰＬ機番記憶部１７及び次ＩＰＬ機番記憶部１８には運用系としてのプログラム領域に対応したＩＰＬ機番（この場合はＩＰＬ機番１とする）が記憶されている。
【００２８】
保守作業員がプログラムの改版作業を行う場合には、第１及び第２プログラム領域１４ａ、１４ｂのうちの予備系として使用している方（この場合は、第１プログラム領域１４ａとする）に対して、改版後のプログラムをインストールし、あるいは修正プログラムを実行することにより、改版を行う。
【００２９】
次いで、切換期間記憶部１５に切換期間を記憶せしめるとともに、次ＩＰＬ機番記憶部１８に改版作業を行った第１プログラム領域１４ａのＩＰＬ機番（この場合はＩＰＬ機番０）を記憶せしめる。現ＩＰＬ機番記憶部１７には第２プログラム領域１４ｂのＩＰＬ機番１が記憶されたままである。
【００３０】
ブートロム１３には、ＩＰＬ（イニシャル・プログラム・ロード）処理を行うためのプログラムが記憶されている。中央演算装置１１はこのブートロム１３のプログラムを実行することにより、図２に示されるようなＩＰＬ処理を行う。
【００３１】
即ち、ＩＰＬ処理が起動されると（ステップ「以下ＳＴと略す」１）、時計回路１６により検出された現在の日時が切換期間記憶部１５に記憶された切換期間内か否かを判断する（ＳＴ２）。
【００３２】
ＳＴ２において、時計回路１６により検出された現在の日時が切換期間記憶部１５に記憶された切換期間内である場合には、現ＩＰＬ機番記憶部１７のＩＰＬ機番と次ＩＰＬ機番記憶部１８のＩＰＬ機番が同一か否かを判断する（ＳＴ３）。
【００３３】
ＳＴ３において、現ＩＰＬ機番記憶部１７のＩＰＬ機番と次ＩＰＬ機番記憶部１８のＩＰＬ機番が同一でない場合には、次ＩＰＬ機番記憶部１８に記憶されたＩＰＬ機番（この場合はＩＰＬ機番０）に対応する外部記憶装置１４の領域（この場合は第１プログラム領域１４ａ）のプログラムを主記憶装置１２にローディングし（ＳＴ４）、切換期間記憶部１５の切換期間を初期化し（ＳＴ５）、次の処理（ローディングしたプログラムの実行等）を行う（ＳＴ６）。
【００３４】
ＳＴ２において、時計回路１６により検出された現在の日時が切換期間記憶部１５に記憶された切換期間内でない場合、及びＳＴ３において、現ＩＰＬ機番記憶部１７のＩＰＬ機番と次ＩＰＬ機番記憶部１８のＩＰＬ機番が同一である場合には、現ＩＰＬ機番記憶部１７に記憶されたＩＰＬ機番（この場合はＩＰＬ機番１）に対応する外部記憶装置１４の領域（この場合は第２プログラム領域１４ｂ）のプログラムを主記憶装置１２にローディングし（ＳＴ７）、ＳＴ６を実行する。
【００３５】
この実施の形態によると、保守作業員はプログラムの改版作業後、前記所定の設定作業（切換期間及びＩＰＬ機番の設定）を行うことにより、改版後のプログラムへの切り換えを自動的に行うようにしたから、改版後のプログラムへの切換作業を保守作業員が行う必要が無く、保守作業員の作業負担が少ない。
【００３６】
［第２の実施の形態］
図３は本発明の第２の実施の形態の電子計算機システムの概略構成を示すブロック図である。前記第１の実施の形態と実質的に同一の構成部分については同一の番号を付してその説明の一部を省略する。
【００３７】
この第２の実施の形態の電子計算機システムは、前記第１の実施の形態の構成に加えて、エラー検出部１９を備えている。エラー検出部１９は、現ＩＰＬ機番及び次ＩＰＬ機番に対応してエラー状態フラグ（初期状態はオフ「ＯＦＦ」とする）を有している。エラー検出部１９は、外部記憶装置１４からプログラムが主記憶装置１２にローディングされる際に、該プログラムをチェックし、該プログラムにエラーが存在する場合に、エラー状態フラグをオン「ＯＮ」とする。
【００３８】
この第２の実施の形態では、中央演算装置１１はブートロム１３のプログラムを実行することにより、図４に示されるようなＩＰＬ処理を行う。
即ち、ＩＰＬ処理が起動されると（ステップ１）、時計回路１６により検出された現在の日時が切換期間記憶部１５に記憶された切換期間内か否かを判断する（ＳＴ２）。
【００３９】
ＳＴ２において、時計回路１６により検出された現在の日時が切換期間記憶部１５に記憶された切換期間内である場合には、現ＩＰＬ機番記憶部１７のＩＰＬ機番と次ＩＰＬ機番記憶部１８のＩＰＬ機番が同一か否かを判断する（ＳＴ３）。
【００４０】
ＳＴ３において、現ＩＰＬ機番記憶部１７のＩＰＬ機番と次ＩＰＬ機番記憶部１８のＩＰＬ機番が同一でない場合には、次ＩＰＬ機番記憶部１８に記憶されたＩＰＬ機番（この場合はＩＰＬ機番０）に対応する外部記憶装置１４の領域（この場合は第１プログラム領域１４ａ）のプログラムを主記憶装置１２にローディングする（ＳＴ４）。
【００４１】
このローディング処理中に、エラーの存在が検出されると（ＳＴ５）、プログラム割り込みが発生し、エラー検出部１９の次ＩＰＬ機番に対応するエラー状態フラグがオン「ＯＮ」とされるから、エラー検出部１９の内容を調べ（ＳＴ６）、エラー状態フラグがオフ「ＯＦＦ」となっている現ＩＰＬ機番記憶部１７に記憶されたＩＰＬ機番（この場合はＩＰＬ機番１）に対応する外部記憶装置１４の領域（この場合は第２プログラム領域１４ｂ）のプログラムを主記憶装置１２に再ローディングする（ＳＴ７）。
【００４２】
次いで、現ＩＰＬ機番記憶部１７のＩＰＬ機番を次ＩＰＬ機番記憶部１８に複写し（ＳＴ８）、次の処理へ進む（ＳＴ９）。
ＳＴ２において、時計回路１６により検出された現在の日時が切換期間記憶部１５に記憶された切換期間内でない場合、及びＳＴ３において、現ＩＰＬ機番記憶部１７のＩＰＬ機番と次ＩＰＬ機番記憶部１８のＩＰＬ機番が同一である場合には、現ＩＰＬ機番記憶部１７に記憶されたＩＰＬ機番（この場合はＩＰＬ機番１）に対応する外部記憶装置１４の領域（この場合は第２プログラム領域１４ｂ）のプログラムを主記憶装置１２にローディングし（ＳＴ１０）、ＳＴ９を実行する。ＳＴ５において、エラーの存在が検出されなかった場合にはＳＴ９を実行する。
【００４３】
この実施の形態によると、改版後のプログラムにエラーが存在することが検出された場合には、改版前のプログラムへ自動的に戻すようにしたから、保守作業員が速やかに対応できないような場合であっても電子計算機システムの運転を継続することができる。
【００４４】
［第３の実施の形態］
図５は本発明の第３の実施の形態の電子計算機システムの概略構成を示すブロック図である。前記第１及び第２の実施の形態と実質的に同一の構成部分については同一の番号を付し、その説明の一部を省略する。
【００４５】
この第３の実施の形態の電子計算機システムは、前記第１の実施の形態の構成に加えて、保証期間が記憶される保証期間記憶部（保証期間記憶手段）２０、及び保証期間監視部２１を備えている。
【００４６】
保証期間記憶部２０は、ソフトウエア論理番号に対応して、状態フラグ、保証期間（保存日数）及び版数が設定されてなるテーブルであり、保守作業員がプログラムの改版作業を行った後、保守作業員によって設定される。保証期間は、改版前のプログラムから改版後のプログラムへ切り換えた後、改版前のプログラムを残存させておくべき期間（日数）である。
【００４７】
保証期間監視部２１は、改版前のプログラムから改版後のプログラムへ切り換えられてからの日数を検出して、保証期間記憶部２０の保証期間内であるか否かを判断し、保証期間が経過した場合に、外部記憶装置１４の改版前のプログラムが記憶された領域１４ａ又は１４ｂに改版後のプログラムの内容を複写する。
【００４８】
この第３の実施の形態では、中央演算装置１１はブートロム１３のプログラムを実行することにより、図６に示されるような処理を含むＩＰＬ処理を行う。
即ち、ＩＰＬ処理の起動に伴いパトロール機能が起動され（ステップ１）、現在が保証期間記憶部２０の保証期間内か否かが判断される（ＳＴ２）。ＳＴ２において、保証期間内である場合には、改版前のプログラムが記憶されたＩＰＬ機番１に対応する第２プログラム領域１４ｂのプログラムへの変更禁止を設定し（ＳＴ３）、保証期間から「１」を減算する（ＳＴ４）。ＳＴ４の処理は１日に１回のみ行われる。
【００４９】
次いで、保証期間が「０」に等しくなっているか否かを判断し（ＳＴ５）、保証期間が「０」に等しくない場合には、ＳＴ１に戻り、保証期間が「０」に等しい場合には、改版前のプログラムが記憶されたＩＰＬ機番１に対応する第２プログラム領域１４ｂに、改版後のプログラムが記憶されたＩＰＬ機番０に対応する第１プログラム領域１４ａの内容を複写し（ＳＴ６）、変更禁止状態を解除して（ＳＴ７）、この処理を終了する（ＳＴ８）。ＳＴ２において、保証期間内でない場合にも、この処理を終了する（ＳＴ８）。
【００５０】
この実施の形態によると、保守作業員はプログラムの改版作業後、保証期間を設定することにより、改版後のプログラムへの切り換えの後保証期間が経過するまでは、改版前のプログラムを残存させておくようにしたから、必要に応じて改版前のプログラムに速やかに切り換えることができる。
【００５１】
また、保証期間の経過後は、改版後のプログラムの検証が十分に行われたものとして、改版後のプログラムを改版前のプログラムに上書きするかたちで自動的に複写するようにしており、これらの作業を保守作業員が行う必要が無く、保守作業員の作業負担を軽減することができる。
【００５２】
［第４の実施の形態］
図７は本発明の第４の実施の形態の電子計算機システムの概略構成を示すブロック図である。前記第１乃至第３の実施の形態と実質的に同一の構成部分については同一の番号を付し、その説明の一部を省略する。
【００５３】
この第４の実施の形態の電子計算機システムは、前記第３の実施の形態の構成に加えて、切換スイッチ２２を備えている。この切換スイッチ２２は、外部記憶装置１４の第１及び第２プログラム領域１４ａ、１４ｂのいずれのプログラムを主記憶装置１２にローディングするかを保守作業員が強制的に設定する手段である。
【００５４】
この切換スイッチ２２がオン「ＯＮ」とされた場合の処理が図８に示されている。即ち、切換スイッチ２２がオンされたことを検出すると（ＳＴ１）、現在が保証期間記憶部２０の保証期間内か否かが判断される（ＳＴ２）。
【００５５】
ＳＴ２において、保証期間内である場合には、現ＩＰＬ機番記憶部１７のＩＰＬ機番と次ＩＰＬ機番記憶部１８のＩＰＬ機番とを比較し（ＳＴ３）、同一でない場合には、保証期間記憶部２０の保証期間をクリアするとともに（ＳＴ４）、保証期間監視部２１による処理を解除し、この処理を終了する（ＳＴ５）。
【００５６】
ＳＴ２において、保証期間内でない場合、及びＳＴ３において、現ＩＰＬ機番記憶部１７のＩＰＬ機番と次ＩＰＬ機番記憶部１８のＩＰＬ機番とが同一である場合にも、この処理を終了する。
【００５７】
この実施の形態によると、改版後のプログラムに切り換えた後に、改版後のプログラムに障害の発生が検出された場合やその他の必要な場合に、保守作業員が切換スイッチ２２をオンとすることにより、実行するプログラムを改版前のプログラムに切り換えるとともに、保証期間経過後に実施する改版前のプログラムに対する改版後のプログラムの自動複写を停止するようにしている。
【００５８】
なお、切換スイッチ２２は初期設定はオフ「ＯＦＦ」となっており、切換スイッチ２２がオフの場合の処理は、前記第３の実施の形態と同様である。
［第５の実施の形態］
図９は本発明の第５の実施の形態の電子計算機システムの概略構成を示すブロック図である。前記第１乃至第４の実施の形態と実質的に同一の構成部分については同一の番号を付し、その説明の一部を省略する。
【００５９】
この第５の実施の形態の電子計算機システムは、前記第３の実施の形態の構成に加えて、診断部（診断手段）２３を備えている。この診断部２３は、中央演算装置１１によるプログラムの実行中に、障害の発生を検出した場合に、該障害が該プログラムに起因するものであるか否かを診断する。
【００６０】
中央演算装置１１による改版後のプログラムの実行中に、障害の発生を検出した場合の処理が図１０に示されている。即ち、装置障害が発生したことが検出されると（ＳＴ１）、ダンプファイルを解析するとともに、ソフトエラーコードを解析する（ＳＴ２）。
【００６１】
次いで、障害発生の原因が実行中のプログラムに起因するものであるか否かを判断する（ＳＴ３）。ＳＴ３において、障害発生の原因が実行中のプログラムに起因するものである場合には、改版前のプログラムのローディング・実行に切り換え（ＳＴ４）、保証期間記憶部２０の保証期間をクリアするとともに（ＳＴ５）、保証期間監視部２１による処理を解除し、この処理を終了する（ＳＴ６）。
【００６２】
ＳＴ３において、障害発生の原因が実行中のプログラムに起因するものでない場合にも、この処理を終了する（ＳＴ６）。
この実施の形態によると、改版後のプログラムに切り換えた後に、改版後のプログラムの実行中に障害の発生が検出され、この障害の発生の原因が実行中のプログラムに起因する場合には、改版前のプログラムに切り換えるとともに、保証期間経過後に実施する改版前のプログラムに対する改版後のプログラムの自動複写を停止するようにしている。
【００６３】
従って、改版作業後における改版後のプログラムの実行中に該プログラムに起因する障害が発生した場合に、保守作業員による速やかな対応無しに、改版前のプログラムによる運転を継続することができる。
【００６４】
［第６の実施の形態］
図１１は本発明の第６の実施の形態の電子計算機システムの概略構成を示すブロック図である。前記第１乃至第５の実施の形態と実質的に同一の構成部分については同一の番号を付し、その説明の一部を省略する。
【００６５】
この第６の実施の形態の電子計算機システムは、前記第１の実施の形態の構成に加えて、修正データ記憶部（修正データ記憶手段）２４、改版・修正機能部（適用手段）２５、及び瞬断検出部２６を備えている。
【００６６】
修正データ記憶部２４には、外部記憶装置１４に記憶されたプログラム（第１プログラム領域１４ａ又は第２プログラム領域１４ｂのプログラム）の改版に必要なデータ又はプログラムである修正データが記憶される。修正データは保守作業員によってこの修正データ記憶部２４に改版作業前に格納される。
【００６７】
改版・修正機能部２５は、保守作業員の指示に応じて修正データ記憶部２４の修正データに従って、外部記憶装置１４の第１プログラム領域１４ａ又は第２プログラム領域１４ｂのプログラムを改版する処理である適用処理を行う。
【００６８】
瞬断検出部２６は、改版・修正機能部２５よる適用処理を実行中における、電源の瞬断の発生の有無を検出する。
適用処理を実施中に電源の瞬断が発生した場合の処理が図１２に示されている。まず、プログラムの改版・修正処理が開始されると（ＳＴ１）、改版対象としてのプログラムを構成するファイルについての更新状態フラグをオン「ＯＮ」とし（ＳＴ２）、プログラムの改版に伴う必要なファイルの更新処理を実施する（ＳＴ３）。
【００６９】
更新処理後、更新状態フラグをオフ「ＯＦＦ」として（ＳＴ４）、この処理を終了する（ＳＴ５）。ファイルの更新処理中（ＳＴ３）に、電源の瞬断が発生すると、更新中のファイルについての更新状態フラグはオンのままとなる。
【００７０】
適用処理を実施中に電源の瞬断が発生した後の再起動時の処理が図１３に示されている。瞬断後に再起動されると（ＳＴ１）、初期化処理を行い（ＳＴ２）、プログラムを構成するファイルについての更新状態フラグを参照して、該ファイルが更新中か否かを判断する（ＳＴ３）。ＳＴ３において、ファイルの更新中である場合には、外部記憶装置１４の改版中のプログラムが記憶された第１又は第２プログラム領域１４ａ、１４ｂに、改版前のプログラムを複写し（ＳＴ４）、この処理を終了する（ＳＴ５）。ＳＴ３において、ファイルの更新中でない場合には、この処理を終了する（ＳＴ５）。
【００７１】
この実施の形態によると、修正データ記憶部２４及び改版・修正機能部２５により改版作業を自動的に行うようにしたから、保守作業員の作業負担を軽減することができる。また、プログラムの改版処理中における電源の瞬断の発生の有無を、再起動時に状態更新フラグを参照することにより認識し、改版処理中に電源の瞬断が発生した場合には、改版前のプログラムを改版中のプログラムに上書きするかたちで複写するようにしているから、プログラムの改版の信頼性を向上することができる。
【００７２】
［第７の実施の形態］
図１４は本発明の第７の実施の形態の遠隔保守システムの構成を示す図である。この遠隔保守システムは、保守対象の電子計算機システムとしての複数の一般ユーザ端末３１、保守センタ３２、開発システム３３、及び検証システム（検証装置）３４を備えている。一般ユーザ端末３１は前記第１乃至第６の実施の形態の電子計算機システムと同様の構成を有している。
【００７３】
複数の一般ユーザ端末３１と保守センタ３２とは通信回線を介して互いに接続されている。保守センタ３２は、複数の一般ユーザ端末３１を集中的に遠隔保守する装置である。
【００７４】
開発システム３３は、一般ユーザ端末３１が実行するプログラムの改版内容を示す修正データの開発を行うシステムである。開発された修正データは、開発システム３３において、一応の検証がなされ、フロッピーディスク等の媒体３５を介して保守センタ３２に送られ、登録される。開発システム３３と保守センタ３２を通信回線を介して接続し、開発された修正データを該通信回線を介して、転送・登録するようにしても良い。
【００７５】
検証システム３４は、一般ユーザ端末３１と同一の条件で、修正データに基づき一般ユーザ端末３１が実行するプログラムを改版する処理である適用処理を行い、プログラム内のバグの存在、一般ユーザ端末３１との整合性等の信頼性について検査を行い、合否を認定するシステムである。保守センタ３２と検証システム３４とは通信回線を介して互いに接続されている。
【００７６】
保守センタ３２は、修正データ記憶部（修正データ記憶手段）３２ａ、及び図示しない転送部（転送手段）を備えている。
開発システム３３で作成された修正データは、保守センタ３２の修正データ記憶部３２ａに登録される。この修正データ記憶部３２ａには、複数の修正データを登録することができ、登録された各修正データの識別（Ｐ−ＮＯ）に対応して、修正データの転送先を示す転送レベルを設定することができる。
【００７７】
転送レベルは、一般ユーザ端末３１への転送を示す「一般」及び検証システムへの転送を示す「検証」の二種類があり、開発システム３３で開発された修正データが保守センタ３２に初めて登録されたときには、「検証」が設定される。
【００７８】
修正データ記憶部３２ａに登録された修正データは、転送部により、該当する転送レベルに応じて一般ユーザ端末３１又は検証システム３４に転送される。
修正データが転送された検証システム３４においては、一般ユーザ端末３１で実行されるのと同様に一般ユーザ端末３１が実行するプログラムについて、該修正データに基づき適用処理を行い、改版されたプログラムの検証を行う。検証の結果（「良好」又は「不良」）は、保守センタ３２に通知される。
【００７９】
保守センタ３２では、検証システム３４からの検証結果が「良好」の場合には、該修正データに対応する転送レベルを「転送」から「一般」に変更する。検証システム３４による検証結果が「不良」の場合には、開発システム３３にその旨が通知される。
【００８０】
一般ユーザ端末３１は、運用系及び待機系としての同一内容の二以上のプログラムが記憶される記憶領域を有する磁気ディスク装置等の外部記憶装置（プログラム記憶手段）、保守センタ３２から転送された修正データに従って待機系としてのプログラムについて適用処理を行う適用部（適用手段）、及び運用系から待機系へ切り換える切換処理を実行する切換部（切換手段）を有している。
【００８１】
一般ユーザ端末３１においては、保守センタ３２から修正データの転送を受けると、適用部が外部記憶装置の待機系としてのプログラムを該修正データに従って改版する。
【００８２】
この実施の形態によると、一般ユーザ端末３１が実行するプログラムの改版のために必要な修正データは開発システム３３で作成された後、保守センタ３２に登録され、この保守センタ３２から一般ユーザ端末３１に転送されて、一般ユーザ端末３２の適用部が適用処理を行うようにしたから、保守作業員は保守センタ３２において、複数の一般ユーザ端末３１に対して、集中的に改版作業を行うことができ、改版作業の高効率化が図れる。
【００８３】
また、修正データは保守センタ３２の修正データ記憶部３２ａに登録されたときには、その転送レベルは「検証」となっており、検証システム３４に転送されて検証された後に、転送レベルを「一般」に変更して、転送レベルが「一般」の修正データのみを一般ユーザ端末３１に転送するようにしたから、修正データの信頼性が高く、修正データにバグ等が存在することによる一般ユーザ端末３１のシステムダウンを防止することができる。
【００８４】
［第８の実施の形態］
図１５は本発明の第８の実施の形態の遠隔保守システムの構成を示す図である。前記第７の実施の形態と実質的に同一の構成部分については同一の番号を付し、その説明の一部を省略する。
【００８５】
この第８の実施の形態の遠隔保守システムの保守センタ３２は、期間記憶部（期間記憶手段）３２ｂを有している。この期間記憶部３２ｂには、一般ユーザ端末３１が実行するプログラムについて改版処理を行った場合の改版前のプログラム（運用系のプログラム）から改版後のプログラム（予備系のプログラム）への切換期間（切換開始日時、切換終了日時）、及び改版後のプログラム（予備系のプログラム）に切り換えた後の改版前のプログラムを残存させておくべき日数である保証期間を含む切換情報が記憶される。
【００８６】
これらの切換期間及び保証期間を含む切換情報は、一般ユーザ端末３１は自動運転スケジュール情報（Ｐ−ＯＮ［パワーオン］時間、ＯＳ−ＩＰＬ時間、ＯＳ−ＳＴＯＰ時間、Ｐ−ＯＦＦ［パワーオフ］時間等）を有しているので、保守センタ３２はこの自動運転スケジュール情報の転送を受けて、この自動運転スケジュール情報を参照して、各一般ユーザ端末３１毎に自動的に決定され、期間記憶部３２ｂに設定される。
【００８７】
これらの切換期間及び保証期間を含む切換情報は、保守センタ３２の転送部により修正データが一般ユーザ端末３１に転送される際に、これに随伴して転送される。
【００８８】
一般ユーザ端末３１においては、適用部による予備系のプログラムに対する適用処理の後、保守センタ３２からの切換情報に含まれる切換期間に従って、運用系のプログラム（改版前のプログラム）から待機系のプログラム（改版後のプログラム）への切り換えを行うとともに、この切換処理から保守センタ３２からの切換情報に含まれる保証期間が経過した後に、待機系としてのプログラム（改版前のプログラム）に運用系としてのプログラム（改版後のプログラム）を上書きすることにより待機系としてのプログラムの改版を行う。
【００８９】
運用系から待機系に切り換えた後、保守センタ３２からの保証期間内に、運用系についてのプログラムにエラーが存在することが検出された場合には、運用系から待機系にさらに切り換えることにより改版前のプログラムを実行する。
【００９０】
この実施の形態によると、保守センタ３２により一般ユーザ端末３１のプログラムの改版処理、改版処理後の改版後のプログラムへの切換処理、改版前のプログラムに対する改版後のプログラムの複写処理、改版後のプログラムにエラーが発生した場合の改版前のプログラムへの切換処理等を全て自動的に行うようにしたから、保守作業員の作業負担は殆ど無くなる。
【００９１】
［第９の実施の形態］
図１６は本発明の第９の実施の形態の遠隔保守システムの構成を示す図である。前記第７及び第８の実施の形態と実質的に同一の構成部分については同一の番号を付し、その説明の一部を省略する。
【００９２】
この第９の実施の形態の遠隔保守システムにおいては、一般ユーザ端末３１は適用部による外部記憶装置の待機系としてのプログラムの改版処理が完了した後に、一般ユーザ端末３１は、プログラムの改版が完了した旨及び改版に使用した修正データの適用リスト（Ｐ−ＮＯのメンバ一覧）を、保守センタ３２に通知するようにしている。
【００９３】
この通知を受けた保守センタ３２は、保守センタ３２が有する保守員用端末３６のディスプレイ（表示手段）にプログラムの改版が完了した旨及び適用リストを表示するとともに、保守作業員が所持するポケットベルに対して自動発信する。保守作業員はポケットベルの鳴動によりあるいは保守端末の表示によりプログラムの改版が完了したことを認識し、保守員用端末３６に表示された適用リストを参照する。
【００９４】
［第１０の実施の形態］
図１７は本発明の第１０の実施の形態の遠隔保守システムの構成を示す図である。前記第７乃至第９の実施の形態と実質的に同一の構成部分については同一の番号を付し、その説明の一部を省略する。
【００９５】
この第１０の実施の形態の遠隔保守システムにおいては、一般ユーザ端末３１は、切換部が運用系から待機系に切換処理を実施した後、運用系から待機系に切換処理を実施した旨を含む切換結果を、保守センタ３２に通知するようにしている。
【００９６】
この通知を受けた保守センタ３２は、保守センタ３２が有する保守員用端末３６のディスプレイ（表示手段）に該切換結果を表示するとともに、保守作業員が所持するポケットベルに対して自動発信する。保守作業員はポケットベルの鳴動によりあるいは保守員用端末３６の表示によりプログラムの切換が完了したことを認識し、保守員用端末３６に表示された切換結果を参照する。
【００９７】
［第１１の実施の形態］
図１８は本発明の第１１の実施の形態の遠隔保守システムの構成を示す図である。前記第７乃至第１０の実施の形態と実質的に同一の構成部分については同一の番号を付し、その説明の一部を省略する。
【００９８】
この第１１の実施の形態の遠隔保守システムにおいては、保守センタ３２は切換期間内に一般ユーザ端末３１から前記第１０の実施の形態における切換結果の通知が無かった場合には、コールバック接続により該切換結果の通知が無かった一般ユーザ端末３１に接続し、プログラムの切換指示を出すようにしている。
【００９９】
この切換指示を受信した一般ユーザ端末３１は、ホストＣＰＵが停止状態である場合には運用系から待機系へ即時に切換処理を行う。一般ユーザ端末３１は、ホストＣＰＵが動作中の場合には、保守センタ３２に対して切換不可を通知する。
【０１００】
一般ユーザ端末３１から切換不可を通知された保守センタ３３は、保守センタが保持している該一般ユーザ端末３１についての自動運転スケジュール情報からＯＳ−ＳＴＯＰ時間を参照し、その時間に再度コールバック接続により、該一般ユーザ端末３１に接続し、切換指示を行う。一般ユーザ端末３１は、この場合にはホストＣＰＵは停止中であるから、運用系から待機系へ即時に切換処理を行う。
【０１０１】
一般ユーザ端末３１は、保守センタ３２から切換指示を受信したときに、ホストＣＰＵが動作中の場合には、保守センタ３２に対して切換不可を通知し又は通知せずに、一般ユーザ端末３１のホストＣＰＵが停止状態になったときに自動的に切換処理を行うようにしても良い。
【０１０２】
［第１２の実施の形態］
図１９は本発明の第１２の実施の形態の遠隔保守システムの構成を示す図である。前記第７乃至第１１の実施の形態と実質的に同一の構成部分については同一の番号を付し、その説明の一部を省略する。
【０１０３】
この第１２の実施の形態の遠隔保守システムにおいては、一般ユーザ端末３１は、保守センタ３２から転送された切換情報の保証期間をチェックする機能を有し、該保証期間が経過した時に、一般ユーザ端末３１から保守センタ３２に接続し、保守センタ３２に対して修正データの転送を要求するようにしている。修正データの送信要求を受信した保守センタは修正データを該一般ユーザ端末３１に転送する。
【０１０４】
【発明の効果】
本発明は以上説明したように構成したので、プログラムの改版、改版後のプログラムへの切換、障害発生時の改版前のプログラムへの変更、その他の作業についての保守作業員の負担を大幅に軽減することができ、プログラムの改版に伴う作業又は処理の高効率化を図れるという効果を奏する。
【図面の簡単な説明】
【図１】本発明の第１の実施の形態の電子計算機システムの概略構成を示すブロック図である。
【図２】本発明の第１の実施の形態の電子計算機システムの処理を示すフローチャートである。
【図３】本発明の第２の実施の形態の電子計算機システムの概略構成を示すブロック図である。
【図４】本発明の第２の実施の形態の電子計算機システムの処理を示すフローチャートである。
【図５】本発明の第３の実施の形態の電子計算機システムの概略構成を示すブロック図である。
【図６】本発明の第３の実施の形態の電子計算機システムの処理を示すフローチャートである。
【図７】本発明の第４の実施の形態の電子計算機システムの概略構成を示すブロック図である。
【図８】本発明の第４の実施の形態の電子計算機システムの処理を示すフローチャートである。
【図９】本発明の第５の実施の形態の電子計算機システムの概略構成を示すブロック図である。
【図１０】本発明の第５の実施の形態の電子計算機システムの処理を示すフローチャートである。
【図１１】本発明の第６の実施の形態の電子計算機システムの概略構成を示すブロック図である。
【図１２】本発明の第６の実施の形態の電子計算機システムの改版処理時の処理を示すフローチャートである。
【図１３】本発明の第６の実施の形態の電子計算機システムの電源瞬断後の再起動時の処理を示すフローチャートである。
【図１４】本発明の第７の実施の形態の遠隔保守システムの概略構成を示す図である。
【図１５】本発明の第８の実施の形態の遠隔保守システムの概略構成を示す図である。
【図１６】本発明の第９の実施の形態の遠隔保守システムの概略構成を示す図である。
【図１７】本発明の第１０の実施の形態の遠隔保守システムの概略構成を示す図である。
【図１８】本発明の第１１の実施の形態の遠隔保守システムの概略構成を示す図である。
【図１９】本発明の第１２の実施の形態の遠隔保守システムの概略構成を示す図である。
【符号の説明】
１１  中央演算装置（ＣＰＵ）
１２  主記憶装置（ＭＥＭ）
１３  ブートロム（ＲＯＭ）
１４  外部記憶装置
１５  切換期間記憶部
１６  時計回路
１７  現ＩＰＬ機番記憶部
１８  次ＩＰＬ機番記憶部
１９  エラー検出部
２０  保証期間記憶部
２１  保証期間監視部
２２  切換スイッチ
２３  診断部
２４  修正データ記憶部
２５  改版・修正機能部
２６  瞬断検出部
３１  一般ユーザ端末（電子計算機システム）
３２  保守センタ
３３  開発システム
３４  検証システム
３６  保守員用端末
【図１】
0003589830.tif 000002
【図２】
0003589830.tif 000003
【図３】
0003589830.tif 000004
【図４】
0003589830.tif 000005
【図５】
0003589830.tif 000006
【図６】
0003589830.tif 000007
【図７】
0003589830.tif 000008
【図８】
0003589830.tif 000009
【図９】
0003589830.tif 000010
【図１０】
0003589830.tif 000011
【図１１】
0003589830.tif 000012
【図１２】
0003589830.tif 000013
【図１３】
0003589830.tif 000014
【図１４】
0003589830.tif 000015
【図１５】
0003589830.tif 000016
【図１６】
0003589830.tif 000017
【図１７】
0003589830.tif 000018
【図１８】
0003589830.tif 000019
【図１９】
0003589830.tif 000020